(57)【特許請求の範囲】
【請求項１】
起立状に設けられた人体型と、この人体型に着せた上着の前後の裾を押さえるため、人体型の前後の下部に、人体型に向かって進退動作自在に設けられた前側パッドと後側パッドとを備えてなる上着の立体仕上げ装置であって、上記の人体型が、反転動作自在に形成され、上記の後側パッドが、裾のセンターベンツを押さえるための押えパッドと、この押えパッドの両側に左右対称状に配設された、サイドベンツを押さえるための押えパッドとで形成され、このサイドベンツを押さえるための押えパッドが、互いに接離動作して間隔が変更自在に形成されたことを特徴とする上着の立体仕上げ装置。
【請求項２】
請求項１記載の上着の立体仕上げ装置であって、後側パッドが、裾のセンターベンツを押さえるための押えパッドと、サイドベンツを押さえるための押えパッドとで形成されるのに代え、横幅が、センターベンツと共に一方のサイドベンツを押さえる位置まで長く形成された一方側の押えパッドと、この一方側の押えパッドの傍らに配設されて他方のサイドベンツを押さえるための他方側の押えパッドとで形成され、上記一方側の押えパッドの、一方のサイドベンツに対応する側部が、垂直線を軸にして一方のサイドベンツに向かって湾曲自在に形成されたことを特徴とする上着の立体仕上げ装置。
【請求項３】
請求項１記載の上着の立体仕上げ装置であって、後側パッドが、裾のセンターベンツを押さえるための押えパッドと、サイドベンツを押さえるための押えパッドとで形成されるのに代え、裾の両側にわたって横長状に、且つ裾のサイドベンツに対応する位置が垂直線を軸にして各サイドベンツに向かって湾曲自在に形成されたことを特徴とする上着の立体仕上げ装置。
【請求項４】
請求項１乃至３の何れかに記載の上着の立体仕上げ装置であって、上着の両脇を緊張させるための脇パッドが、人体型の両脇に側方に進出動作自在に配設され、この脇パッドの進出位置が変更自在に形成されたことを特徴とする上着の立体仕上げ装置。
【発明の詳細な説明】
【０００１】
【発明の属する技術分野】
本発明は、上着の立体仕上げ装置に関し、更に詳しくは人体型を備え、この人体型に着せた上着の内部に蒸気や熱風を供給して皺を除去し、平滑加工する上着の立体仕上げ装置に関するものである。
【０００２】
【従来の技術】
従来この種の装置としては、起立状に設けた人体型と、この人体型に着せた上着の前後の裾を押さえるため、人体型の前後の下部に、人体型に向かって進退動作自在に設けた前側パッドと後側パッドとを備えてなるものがある（例えば実開昭５９ー１４８７９４号公報参照）。
【０００３】
【発明が解決しようとする課題】
ところでこの種装置は、人体型に上着を着せたり取り外す作業を伴うため、この種の作業を簡単、容易にできるよう形成されているのが望ましい。
【０００４】
しかるに従来装置は、人体型が前向き状態で固定的に設けられていたから、従来装置を使用すると、作業者は、片手で上着を持ち、他方の手を例えば人体型の後方に回し上着を引き寄せて人体型に着せる必要があった。而して通常、この種装置の場合は、前裾を押さえるための押えパッドや、又各種のスイッチ類等が人体型の前側の下部に配設されるものである。従って従来装置によると、上着の装着作業等の際、作業者は、前傾姿勢をとって、手を人体型の後方に延ばし、上着を例えば持ち替える必要があったから、この種の作業が不便であっただけではなく、作業者に肉体的な負担を強いる、という問題点があった。
【０００５】
而して、背広やジャケット等の上着は、通常、裾にセンターベンツ（裾の真後ろの切れ込み）、或いはサイドベンツ（裾の両側の切れ込み）を備えてなる。従って上着の立体仕上げ装置は、この種のセンターベンツ、サイドベンツの区別なく、一台で両方の上着に対処できるよう形成されているのが望ましい。
【０００６】
しかるに従来、この種装置は、後側パッドを、人体型の後側の中央位置に設けてなるのが通例であった。従って従来、上着がサイドベンツ式の場合は、例えば洗濯挟み状の専用のクリップを用い、作業者は人体型の後側に手を伸ばし、体をかがめて固定作業を行なわなければならなかった。
【０００７】
その結果従来装置を使用すると、サイドベンツの上着を仕上げる際、裾の押え作業が不便で煩わしく、又クリップの痕が裾に付いて綺麗に仕上げることができない、という問題点があった。
【０００８】
本発明は、このような従来装置の問題点を解消しようとするものである。
従って本発明の技術的課題は、上着を人体型に着せたり脱がせたりする作業を、簡便且つ容易にでき、又サイドベンツ式上着の裾押えにかかる手間暇を一掃し、仕上がり状態が良好になるよう形成した上着の立体仕上げ装置を提供することにある。
【０００９】
【課題を解決するための手段】
本発明は、上記の課題を解決するために、次のような技術的手段を採る。
【００１０】
即ち本発明は、図１に示されるように、起立状に設けられた人体型１と、この人体型１に着せた上着４の前後の裾を押さえるため人体型１の前後の下部１ａに、人体型１に向かって進退動作自在に設けられた前側パッド１０と後側パッド１４とを備えてなる上着の立体仕上げ装置であって、上記の人体型１が、反転動作自在に形成され、上記の後側パッド１４が、裾のセンターベンツ４ａを押さえるための押えパッド１４ａと、この押えパッド１４ａの両側に左右対称状に配設された、サイドベンツ４ｂを押さえるための押えパッド１４ｂとで形成され、このサイドベンツ４ｂを押さえるための押えパッド１４ｂが、互いに接離動作して間隔が変更自在に形成されたことを特徴とする（請求項１）。
【００１１】
ここで反転動作自在に、とは、人体型１を前向き、後向きに配置できる、ということを意味する。この場合本発明は、人体型１を１８０度、可逆回転自在に形成するのでも、或いは３６０度回転自在に形成することで反転動作を行なえるよう形成するのでも良い。
【００１２】
本発明の場合は、上着４の大きさによってサイドベンツ４ｂの間隔が異なる場合でも柔軟に対応でき、使い勝手が一層良いものである。
【００１３】
又本発明は、後側パッド１４が、センターベンツ４ａを押さえるための押えパッド１４ａと、サイドベンツ４ｂを押さえるための押えパッド１４ｂとで形成されるのに代え、図１２に示されるように、横幅Ｗが、センターベンツ４ａと共に一方のサイドベンツ４ｂを押さえる位置まで長く形成された一方側の押えパッド１４ｃと、この一方側の押えパッド１４ｃの傍らに配設されて他方のサイドベンツ４ｂを押さえるための他方側の押えパッド１４ｄとで形成され、上記一方側の押えパッド１４ｃの、一方のサイドベンツ４ｂに対応する側部１４ｃ1が、垂直線を軸にして一方のサイドベンツ４ｂに向かって湾曲自在に形成されるのでも良い（請求項２）。
【００１４】
図１２Ａは、センターベンツ４ａを押さえる場合、同図Ｂはサイドベンツ４ｂを押さえるときの動作を示す。ここで一方側の押えパッド１４ｃの、一方のサイドベンツ４ｂに対応する側部１４ｃ1が、垂直線を軸にして一方のサイドベンツ４ｂに向かって湾曲自在に形成される、とは、サイドベンツ４ｂを押さえる場合は一方のサイドベンツ４ｂに対応する側部１４ｃ1が湾曲し、一方のサイドベンツ４ｂに押し当て可能に形成される、ということを意味する。具体的には、細幅の板状部材２９を縦にして相互に可動自在に並列状に連結し、且つ一方のサイドベンツ４ｂに対応する側部１４ｃ1の表側に、この側部１４ｃ1を進退動作させる動作機構３０を配設することで達成される。動作機構３０としては、エアシリンダやモータ等がある。
【００１５】
又このような板状部材２９を連結して形成するのに代え、例えば一方側の押えパッド１４ｃの芯板を形状記憶合金で形成し、一方のサイドベンツ４ｂに対応する側部１４ｃ1を電気的に例えば加熱して湾曲動作させ、エアシリンダ等の動作機構３０で一方のサイドベンツ４ｂに押し当てるよう形成するのでも良い。なお他方側の押えパッド１４ｄは、エアシリンダ等の動作機構３０で他方のサイドベンツ４ｂに進退動作自在に形成される。
【００１６】
又本発明は、後側パッド１４が、裾のセンターベンツ４ａを押さえるための押えパッド１４ａと、サイドベンツ４ｂを押さえるための押えパッド１４ｂとで形成されるのに代え、図１３に示されるように、裾の両側にわたって横長状に、且つ裾のサイドベンツ４ｂに対応する位置４ｂ1が垂直線を軸にして各サイドベンツ４ｂに向かって湾曲自在に形成されるのでも良い（請求項３）。
【００１７】
なお同図Ａは、センターベンツ４ａを押さえる場合、同図Ｂはサイドベンツ４ｂを押さえるときの動作を示す。ここで裾のサイドベンツ４ｂに対応する位置４ｂ1が垂直線を軸にして各サイドベンツ４ｂに向かって湾曲自在に形成される、とは、サイドベンツ４ｂを押さえる場合はサイドベンツ４ｂに対応する位置４ｂ1だけが湾曲し、夫々のサイドベンツ４ｂに押し当て可能に形成される、ということを意味する。具体的には、請求項２記載の一方側の押えパッド１４ｃの側部１４ｃ1の場合と同様、板状部材２９を連結して形成したり、形状記憶合金の芯板を電気的に例えば加熱して湾曲させ、エアシリンダ等の動作機構３０で押し当てるよう構成することで達成される。
【００１８】
更に本発明は、上着４の両脇を緊張させるための脇パッド１ｃ（図３等参照）が、人体型１の両脇に側方に進出動作自在に配設され、この脇パッド１ｃの進出位置が変更自在に形成されるのが好ましい（請求項４）。
【００１９】
この場合は、脇パッド１ｃの突き出し位置を変更できるから、上着４の大きさに応じて脇を具合良く的確に張り出させることができ、その分、仕上がり状態を良好にできる。
【００２０】
【発明の実施の形態】
以下、本発明の好適な一実施形態を添付図面に従って説明する。
【００２１】
図１等において、１は起立状に設けられた人体型である。この人体型１は、下部１ａが台座２に係合され、この実施形態では人体型１を後ろ向きにするときは時計方向に、戻す場合は反時計方向に１８０度、手動で回転するよう形成されている。３は人体型１を回転操作する際に使用する取っ手であり、この取っ手３は人体型１の下部１ａの周囲に複数設けられている。なお人体型１は、上着４の胴部を緊張するため側方に進出自在に形成された緊張部１ｂを備えてなる。
【００２２】
又人体型１は、図３、図９等に示されるように、上着４の両脇を緊張させるための脇パッド１ｃを備えてなる。この脇パッド１ｃは、人体型１の両脇に、側方に進出動作自在に形成され、且つこの脇パッド１ｃの進出位置が変更自在に形成されている。
【００２３】
この実施形態の場合は、図９に示されるように、具体的には人体型１の上部に、操作レバー５が前後方向に約９０度回動操作自在に設けられ、この操作レバー５の回動操作でリンク機構６が拡縮することで脇パッド１ｃが進出動作するよう形成されている。７は、操作レバー５の回動操作で、支柱８に嵌挿されたリング９を昇降動作させる制御機構である。
【００２４】
上記の制御機構７は、操作レバー５の手前側への回動動作に連動して装置の前側へ回動する爪７ａと、この爪７ａが係合する爪車７ｂと、爪７ａの動作に連動して回転し、後端７ｃ（図１０、図１１参照）の高さが変わる回転板７ｄと、この回転板７ｄの後端７ｃに、上端が枢着された左右一対状のリンク板７ｅとを備えて形成されている。爪車７ｂは、一方向クラッチ７ｆにより、装置の前側にだけ回転するよう形成されている。リンク板７ｅの下端は、リング９の側面に枢着されている。
【００２５】
リンク機構６の内側の下端６ａは、リング９の前側に枢着され、リンク機構６の内側の上端６ｂは、支柱８の上部に枢着されている。又リンク機構６の外側の上端６ｃ及び下端６ｄは、脇パッド１ｃの内側に設けられた取り付け杆６ｅに夫々枢着されている。
【００２６】
１０（図２、図４等参照）は、人体型１に着せた上着４の前側の裾を押さえるための前側パッドである。この前側パッド１０は、人体型１の前側の下部１ａに、人体型１に対し進退動作自在に設けられている。１０ａは、前側パッド１０のサポートである。このサポート１０ａは、その下部が人体型１の下部１ａに枢着されている。又１１は、ロッドを下向きにして、人体型１の前側の下部１ａに傾斜状に配設されたエアシリンダである。このエアシリンダ１１は、ロッドの先端がサポート１０ａの下部に枢着され、ロッドが延伸するとサポート１０ａが枢着軸１２を中心にして人体型１に向かって回動し、収縮すると後退動作するよう形成されている。なお１３は、前側パッド１０を、人体型１に向かって平行移動させるためのリンクである。
【００２７】
１４（図１等参照）は、人体型１に着せた上着４の後側の裾を押さえるための後側パッドである。この後側パッド１４は、人体型１の後側の下部１ａに、人体型１に向かって進退動作自在に設けられている。又この後側パッド１４は、裾のセンターベンツ４ａを押さえるための押えパッド１４ａと、この押えパッド１４ａの両側に左右対称状に配設された、サイドベンツ４ｂを押さえるための押えパッド１４ｂとで形成されている。
【００２８】
センターベンツ４ａを押さえるための押えパッド１４ａは、人体型１に対向する内面が凹湾曲状に形成されている。この押えパッド１４ａのサポート１５の下部は、人体型１の下部１ａに枢着されている。１６（図５、図６等参照）は、ロッドを下向きにして人体型１の後側の下部１ａに傾斜状に配設されたエアシリンダである。このエアシリンダ１６は、ロッドの先端がサポート１５の下部に枢着され、ロッドが延伸するとサポート１５が枢着軸１７を中心にして人体型１に向かって回動し、収縮すると後退動作するよう形成されている。なお１８は、押えパッド１４ａを、人体型１に向かって平行移動させるためのリンクである。
【００２９】
サイドベンツ４ｂを押さえるための押えパッド１４ｂは、センターベンツ４ａを押さえるための押えパッド１４ａと同様に、人体型１に対向する内面が凹湾曲状に形成されている。又この実施形態では、押えパッド１４ｂを人体型１に対し進退動作させる機構も、同様に形成されている。
【００３０】
即ち、図５、図７に示されるように、サポート１９の下部が人体型１の下部１ａに枢着され、ロッドを下向きにして人体型１の後側の下部１ａに傾斜状に配設されたエアシリンダ２０で制御されるよう形成されている。具体的にはエアシリンダ２０のロッドの先端がサポート１９の下部に枢着され、ロッドが延伸するとサポート１９が枢着軸２１を中心にして人体型１に向かって回動し、収縮すると後退動作するものである。なお２２は、押えパッド１４ｂを、人体型１に向かって平行移動させるためのリンクである。
【００３１】
又サイドベンツ４ｂを押さえるための押えパッド１４ｂは、本発明では互いに接離動作して間隔が変更自在に形成されている。図５、図８において、２３ａ、２３ｂは、互いにロッドを反対側に向けて水平且つ平行状に、人体型１の後側の下部１ａに配設されたエアシリンダである。一方のエアシリンダ２３ａはロッドの先端が、図５において、右側の押えパッド１４ｂの支持部２４の所定位置に枢着され、他方のエアシリンダ２３ｂはロッドの先端が、左側の押えパッド１４ｂの支持部２５の所定位置に枢着されている。２６は、人体型１の後側の下部１ａに、水平状に横架された上下一対状の案内杆である。サイドベンツ４ｂを押さえるための左右の押えパッド１４ｂは、この案内杆２６に案内されてスライドするよう形成されている。
【００３２】
なお２７（図１等参照）は、制御部である。この制御部２７は、上面に、各押えパッド１４ａ、１４ｂの選択スイッチ、スチームの噴出時間等の設定スイッチ等が設けられている。又この制御部２７の前面には、作業者が膝でオンオフ制御できる膝スイッチ２８が設けられている。
【００３３】
次に本発明の作用を説明する。
先ず作業者は、図１、図３に示されるように、人体型１が後向きの状態で、上着４を人体型１に着せる。上着４がセンターベンツ４ａの場合は、センターベンツ４ａを押さえるための押えパッド１４ａのスイッチを入れる。すると、エアシリンダ１６のロッドが延伸し、サポート１５が人体型１の側に回動する。その結果押えパッド１４ａが、人体型１に向かってリンク１８の作用で平行移動し、センターベンツ４ａを押さえる（図６参照）。
【００３４】
又サイドベンツ４ｂの上着４の場合は、サイドベンツ４ｂを押さえるための押えパッド１４ｂのスイッチを押す。すると、エアシリンダ２０のロッドが延伸し、サポート１９が人体型１の側に回動する。その結果押えパッド１４ｂが、人体型１に向かってリンク２２の作用で平行移動し、サイドベンツ４ｂを押さえるものである（図７参照）。なお押えパッド１４ｂの間隔を変更する場合は、エアシリンダ２３ａ、２３ｂを駆動させ、ロッドを延伸させる。すると、図５において、各押えパッド１４ｂは、サポート１９、エアシリンダ２０、支持部２４、２５等と共に、案内杆２６に案内されて夫々側方に移動し、間隔が広げられる。
【００３５】
而して後側の裾を固定した後、作業者は、取っ手３を利用して人体型１を反転させ、前向きにさせる（図４の状態参照）。そしてこの状態で上着４の前裾を整え、前側パッド１０のスイッチを入れる。すると、エアシリンダ１１のロッドが延伸し、サポート１０ａが人体型１の側に回動する。その結果前側パッド１０が、人体型１に向かってリンク１３の作用で平行移動し、前裾を押さえる。
【００３６】
次に作業者は、図１１に示されるように、操作レバー５を前側に倒し、上着４の肩幅に応じて脇パッド１ｃを側方に張り出させる。具体的には、操作レバー５を前側に倒し、爪７ａを爪車７ｂに係合させる。爪車７ｂは一方向クラッチ７ｆにより後回転が防止されているため、爪７ａは爪車７ｂに係止する。この場合、回転板７ｄが爪７ａと連動して回転し、爪７ａの係合位置に応じて後端７ｃの高さが変わる。
【００３７】
具体的には、爪７ａと爪車７ｂとの係合位置が前側になるほど、回転板７ｄの後端７ｃが高くなり、後側になるほど後端７ｃが低くなる。従ってこの回転板７ｄの後端７ｃに上端が枢着されたリンク板７ｅが、それに応じてリング９を支柱８に沿って上下動させる。このリング９には、リンク機構６の内側の下端６ａが枢着されているため、リンク機構６は、リング９の高さに応じて伸縮し、脇パッド１ｃを側方に張り出させる。
【００３８】
なお操作レバー５を起立状に立てると、回転板７ｄの後端７ｃが下降する。従ってリンク板７ｅを介してリング９が下降する。その結果リンク機構６の内側の下端６ａが下降するためリンク機構６が収縮し、脇パッド１ｃが引き寄せられる。
【００３９】
而して脇パッド１ｃを張り出させた状態で、図３、図４に示されるように、緊張部１ｂが緊張する。そしてスチームが所定時間噴出して上着４を蒸らし、その後、熱風を内部から上着４に吹き付け、その風圧と熱で乾燥し皺を除去する。なお一連の処理が終了したら、前側パッド１０、後側パッド１４が復帰し、裾が解放される。従って作業者は、この状態で例えば人体型１を後向きにし、上着４を取り外す。
【００４０】
【発明の効果】
以上説明したように本発明は、上着の立体仕上げ装置であって、人体型を、反転動作自在に形成し、後側パッドを、裾のセンターベンツを押さえるための押えパッドと、この押えパッドの両側に左右対称状に配設した、サイドベンツを押さえるための押えパッドとで形成し、このサイドベンツを押さえるための押えパッドを、互いに接離動作させて間隔を変更自在に形成したものである。
【００４１】
従って本発明を使用すると、人体型を後向きにし、上着を両手で持って、手を持ち替えることなく人体型に着せたり脱がせたりできるから、この種の作業を簡便且つ容易に、楽にできる。
【００４２】
又本発明の場合は、サイドベンツ式の上着の場合でも、専用のクリップ等を用いることなく簡単に裾を押さえることができる。従ってこれによれば、センターベンツ、サイドベンツの区別なく対処でき、又クリップ痕を裾に付けることもないから、仕上がり状態を良好にできる、という効果がある。
【図面の簡単な説明】
【図１】本発明装置の好適な一実施形態を示す使用状態時の斜視図である。
【図２】同上装置の人体型が前向き時の右側面図である。
【図３】同上装置の人体型が後向き時の正面図である。
【図４】同上装置の人体型が前向き時の正面図である。
【図５】後側パッドの要部正面図である。
【図６】図５のＶＩーＶＩ線における要部断面図である。
【図７】図５のＶIIーＶII線における要部断面図である。
【図８】図５のVIIIーVIII線における要部断面図である。
【図９】人体型の一部を切欠した要部縦断面図である。
【図１０】図９のＸーＸ線における要部断面図である。
【図１１】脇パッドの作用を説明するための要部断面図である。
【図１２】同上装置の他の実施形態を示し、Ａ、Ｂとも平面から見た要部構成図である。
【図１３】同上装置の更に他の実施形態を示し、Ａ、Ｂとも平面から見た要部構成図である。
【符号の説明】
１    人体型
１ａ  下部
４    上着
４ａ  センターベンツ
４ｂ  サイドベンツ
１０  前側パッド
１４  後側パッド
１４ａ  センターベンツを押さえるための押えパッド
１４ｂ  サイドベンツを押さえるための押えパッド
【図１】
0003751454.tif 000002
【図２】
0003751454.tif 000003
【図３】
0003751454.tif 000004
【図４】
0003751454.tif 000005
【図５】
0003751454.tif 000006
【図６】
0003751454.tif 000007
【図７】
0003751454.tif 000008
【図８】
0003751454.tif 000009
【図９】
0003751454.tif 000010
【図１０】
0003751454.tif 000011
【図１１】
0003751454.tif 000012
【図１２】
0003751454.tif 000013
【図１３】
0003751454.tif 000014